(57)【特許請求の範囲】
【請求項１】
複数の走査線と複数のデータ線の交差に対応して設けられた画素を備えた電気光学パネルを、サブフィールド駆動により、右目用画像と左眼用画像を第１表示期間と第２表示期間において時分割で交互に表示する３Ｄ表示を行う駆動方法であって、
フレーム期間において、異なる時間長を有する複数のサブフィールド期間と、複数のイレース期間とを有し、
前記複数のサブフィールド期間では、画素をオン又はオフに制御するデータ信号を前記データ線に供給し、
前記複数のイレース期間では、画素をオフに制御するデータ信号を前記データ線に供給し、
前記第１表示期間と前記第２表示期間のうち、一方の表示期間の終了直前と他方の表示期間の開始直後に、短い時間長を有するサブフィールド期間となるサブフィールド期間の順番とし、
前記複数のイレース期間のうち、短い時間長を有する前記サブフィールド期間の間に設けられたイレース期間は、他のイレース期間に比べて時間長が長いことを特徴とする電気光学パネルの駆動方法。
【請求項２】
前記第１表示期間と前記第２表示期間は、各々が正極性のデータ信号が画素に書き込まれる第１制御期間と、負極性のデータ信号が画素に書き込まれる第２制御期間とからなり、
前記第１制御期間と前記第２制御期間でサブフィールド期間の順番が相違することを特徴とする請求項１に記載の電気光学パネルの駆動方法。
【請求項３】
前記第１制御期間と前記第２制御期間は複数のブロック期間からなり、
前記ブロック期間は複数のサブフィールド期間と、その後のイレース期間からなり、
前記一方の表示期間のサブフィールド期間は長くなる順番であり、前記他方の表示期間のサブフィールド期間は短くなる順番であり、
前記一方の表示期間の最後のブロック期間におけるイレース期間は他のイレース期間に比べて時間長が長いことを特徴とする請求項２に記載の電気光学パネルの駆動方法。
【請求項４】
前記３Ｄ表示と、前記３Ｄ表示よりもサブフィールド期間が多くて前記イレース期間がない２Ｄ表示が、切り替え可能であることを特徴とする請求項１乃至３のいずれか一項に記載の電気光学パネルの駆動方法。
【請求項５】
複数の走査線と複数のデータ線の交差に対応して設けられた画素を備えた電気光学パネルと、立体視用眼鏡と、制御部とを備え、サブフィールド駆動により、右目用画像と左眼用画像を第１表示期間と第２表示期間において時分割で交互に表示する３Ｄ表示を行う電気光学装置であって、
前記電気光学パネルは、前記制御部からの制御信号により、
フレーム期間において、異なる時間長を有する複数のサブフィールド期間と、複数のイレース期間とを有し、
前記複数のサブフィールド期間では、画素をオン又はオフに制御するデータ信号をｎ列目のデータ線に供給し、
前記複数のイレース期間では、画素をオフに制御するデータ信号をｎ列目のデータ線に供給し、
前記第１表示期間と前記第２表示期間のうち、一方の表示期間の終了直前と他方の表示期間の開始直後に、短い時間長を有するサブフィールド期間となるサブフィールド期間の順番とし、
前記複数のイレース期間のうち、短い時間長を有する前記サブフィールド期間の間に設けられたイレース期間は、他のイレース期間に比べて時間長が長い
ことを特徴とする電気光学装置。
【請求項６】
前記第１表示期間と前記第２表示期間は、各々が正極性のデータ信号が画素に書き込まれる第１制御期間と、負極性のデータ信号が画素に書き込まれる第２制御期間とからなり、
前記第１制御期間と前記第２制御期間でサブフィールドの順番が相違することを特徴とする請求項５に記載の電気光学装置。
【請求項７】
前記第１制御期間と前記第２制御期間は複数のブロック期間からなり、
前記ブロック期間は複数のサブフィールド期間と、その後のイレース期間からなり、
前記一方の表示期間のサブフィールド期間は長くなる順番であり、前記他方の表示期間のサブフィールド期間は短くなる順番であり、
前記一方の表示期間の最後のブロック期間におけるイレース期間は他のイレース期間に比べて時間長が長いことを特徴とする請求項６に記載の電気光学装置。
【請求項８】
前記３Ｄ表示と、前記３Ｄ表示よりもサブフィールド期間が多くて前記イレース期間がない２Ｄ表示が、切り替え可能であることを特徴とする請請求項５乃至７のいずれか一項に記載の電気光学装置。
【請求項９】
請求項５乃至８のうちいずれか１項に記載の電気光学装置を具備する電子機器。
【発明の詳細な説明】
【技術分野】
【０００１】
本発明は、電気光学装置、電気光学装置の駆動方法、及び、電子機器に関する。
【背景技術】
【０００２】
液晶素子や有機ＥＬ（Electro-Luminescence）素子などの電気光学素子を用いて画像を表示させる電気光学装置において、電気光学装置の動作期間の一単位であるフレーム期間を分割した複数のサブフィールド期間毎に、電気光学素子をオン状態またはオフ状態のいずれか一方で駆動するとともに、オン状態またはオフ状態で駆動する時間の割合を変化させることによって中間階調を表現する技術が提案されている（特許文献１参照）。
【先行技術文献】
【特許文献】
【０００３】
【特許文献１】特開２００３−１１４６６１号公報
【発明の概要】
【発明が解決しようとする課題】
【０００４】
ところで、３Ｄを表示する画像表示システムが知られている。この画像表示システムでは、利用者は、左眼用シャッターと右眼用シャッターとを有する立体視用眼鏡を装着して、表示装置に、あるフレーム期間において左眼用画像を表示し、次のフレーム期間において右眼用画像を表示する。この場合、２Ｄ表示と比較してフレーム期間の時間長が半分となるので、１フレーム期間で使用できるサブフィールド期間の数が半分となってしまう。この結果、３Ｄ表示では階調性が低下してしまうといった問題があった。
さらに、３Ｄ表示では、２Ｄ表示と比較して倍速で走査線を走査する必要があるため、水平走査期間の時間長が短くなる。特に、サブフィールド期間毎に時間長が異なる重み付けサブフィールド駆動方式では、１水平走査期間において、複数の走査線を時分割で選択して、データ信号を画素に書き込む必要がある。上述したように水平走査期間の時間長が短くなると、１水平走査期間で選択可能な走査線数も減少する。この結果、サブフィールド期間のバリエーションが低下し、ひいては階調性が低下してしまうといった問題があった。このような不都合は、３Ｄ表示に限られず、２Ｄ表示においてフレーム期間が短くなる場合も同様である。
【０００５】
本発明は、上述した事情に鑑みてなされたもので、画素をサブフィールド期間毎にオン又はオフする場合に、フレーム期間に含まれるサブフィールド期間の個数を多くすることなく、表示可能な階調数を増加させることを解決課題の一つとする。
【課題を解決するための手段】
【０００６】
以上の課題を解決するために、本発明に係る電気光学装置の駆動方法は、第１の走査線、第２の走査線及び第３の走査線を含むＭ本の走査線と、Ｎ本のデータ線、並びに前記Ｍ本の走査線と前記Ｎ本のデータ線の交差に対応して設けられた画素を備えた電気光学装置を駆動する方法であって、第１期間と、第１の特定期間と、第２期間と、第２の特定期間とを含む水平選択期間毎に前記走査線を選択し、一の水平選択期間において、前記第１期間では、前記第１の走査線を選択するとともに、前記第１の走査線に対応するｎ（ｎは１≦ｎ≦Ｎを満たす任意の自然数）列目の画素をオン又はオフに制御するデータ信号をｎ列目のデータ線に供給し、前記第２期間では、前記第２の走査線を選択するとともに、前記第２の走査線に対応するｎ列目の画素をオン又はオフに制御するデータ信号をｎ列目のデータ線に供給し、前記第１の特定期間及び前記第２の特定期間において、前記第３の走査線を選択するとともに、前記第３の走査線に対応するｎ列目の画素をオフに制御するデータ信号をｎ列目のデータ線に供給し、前記第１の特定期間の時間長は、前記第１期間の時間長及び前記第２期間の時間長より短かく、前記第２の特定期間の時間長は、前記第１期間の時間長及び前記第２期間の時間長より短かい、ことを特徴とする。
【０００７】
本発明に係る電気光学装置の駆動方法の一態様によれば、第１期間又は第２期間のおいては、画素をオン又はオフに制御するデータ信号がデータ線に供給される一方、第１の特定期間及び第２の特定期間においては画素をオフに制御するデータ信号がデータ線に供給される。すなわち、第１期間又は第２期間でデータ信号が画素に書き込まれる結果、当該画素は、次にデータ信号が書き込まれるまでの期間、最大階調又は最小階調に制御される。ここで、第１の特定期間及び第２の特定期間の時間長は、第１期間の時間長及び第２期間の時間長よりも短い。データ線には寄生容量が付随するため、データ線は容量性の負荷であるといえる。このため、一の水平選択期間における一回の特定期間においてデータ信号を画素に書き込んでも、必ずしも当該画素の階調は最小階調とならない。しかしながら、第１期間及び第２期間におけるデータ信号の書き込みは、表示すべき階調に応じたものである一方、特定期間におけるデータ信号の書き込みは、画素の階調を最小階調に制御するためのものであるから画像の品質に与える影響は少ない。また、第１の特定期間において画素をオフするのに十分なデータ信号を書き込むことができなくても、第２の特定期間において画素をオフするデータ信号を書き込むので、当該画素の階調を最小階調に近づけることができる。なお、画素は、例えば液晶素子を含むものでも良く、発光素子を含むものでも良い。
【０００８】
また、本発明に係る電子機器は、上述した電気光学装置を備えることを特徴とする。このような電子機器として、カーナビゲーション装置、パーソナルコンピューター、テレビ、投射型表示装置等が該当する。
【０００９】
上述した電気光学装置の駆動方法の一態様において、前記一の水平選択期間とは異なる他の水平選択期間に属する前記第１の特定期間及び前記第２の特定期間において前記第３の走査線を選択して、前記第３の走査線に対応するｎ列目の画素をオフに制御するデータ信号をｎ列目のデータ線に供給することが好ましい。
【００１０】
この態様によれば、他の水平選択期間の第１の特定期間及び第２の特定期間においても、画素をオフに制御するデータ信号を書き込むので、当該画素の階調を最小階調により近づけることができる。これにより、第１の特定期間及び第２の特定期間の時間長を短くすることができ、その分、第１期間及び第２期間の時間長を長くできる。
【００１１】
上述した電気光学装置の駆動方法の一態様において、第1の時間長を有する第１のサブフィールド期間及び前記第１の時間長と異なる第２の時間長を有する第２のサブフィールド期間を有する複数のサブフィールド期間と、複数のイレース期間とを含み１画面を表示するためのフレーム期間において、前記サブフィールド期間毎に前記画素をオン又はオフに制御し、前記イレース期間において前記画素をオフに制御することにより、前記フレーム期間で前記画素が表示すべき階調を制御し、前記一の水平選択期間において、前記第１の走査線に対応する画素において、前記第１のサブフィールド期間が開始され、且つ、前記第２の走査線に対応する画素において、前記第２のサブフィールド期間が開始され、且つ、前記第３の走査線に対応する画素において、前記イレース期間が開始される、ことが好ましい。
【００１２】
この態様によれば、サブフィールド駆動を行うことが可能となり、一の水平選択期間において、３本の走査線を選択することにより、第１の走査線に対応する画素では第１のサブフィールド期間を開始させ、第２の走査線に対応する画素では第２のサブフィールド期間を開始させ、第３の走査線に対応する画素ではイレース期間を開始させることができる。
【００１３】
上述した電気光学装置の駆動方法の一態様において、前記フレーム期間を、第1ブロック期間と第２ブロック期間とを含む複数のブロック期間に区分し、前記第1ブロック期間を所定数の単位期間に区分し、前記第２ブロック期間を前記所定数の単位期間に区分し、前記第１ブロック期間及び前記第２ブロック期間において前記第１のサブフィールド期間を割り当てる単位期間と、前記第２のサブフィールド期間を割り当てる単位期間とが相違する、ことが好ましい。この態様によれば、第１ブロック期間と第２ブロック期間とで、第１のサブフィールド期間と第２サブフィールド期間の順番が異なるので、サブフィールド期間の組み合わせのバリエーションが増加し、１フレーム期間で表示可能な階調数を増加させることが可能となる。
【００１４】
次に、本発明に係る電気光学装置の一態様は、第１の走査線、第２の走査線及び第３の走査線を含むＭ本の走査線と、Ｎ本のデータ線、並びに前記Ｍ本の走査線と前記Ｎ本のデータ線の交差に対応して設けられた画素を備えたものであって、第１期間と、第１の特定期間と、第２期間と、第２の特定期間とを含む水平選択期間毎に少なくとも３本の走査線を選択する走査線駆動回路と、ｎ（ｎは１≦ｎ≦Ｎを満たす任意の自然数）列目の画素をオン又はオフに制御するデータ信号をｎ列目のデータ線に供給するデータ線駆動回路とを備え、一の水平選択期間において、前記第１期間では、前記走査線駆動回路は前記第１の走査線を選択し、前記データ線駆動回路は前記第１の走査線に対応するｎ列目の画素をオン又はオフに制御するデータ信号をｎ列目のデータ線に供給し、前記第２期間では、前記走査線駆動回路は前記第２の走査線を選択し、前記データ線駆動回路は前記第２の走査線に対応するｎ列目の画素をオン又はオフに制御するデータ信号をｎ列目のデータ線に供給し、前記第１の特定期間及び第２の特定期間では、前記走査線駆動回路は前記第３の走査線を選択し、前記データ線駆動回路は前記第３の走査線に対応するｎ列目の画素をオフに制御するデータ信号をｎ列目のデータ線に供給し、前記第１の特定期間の時間長は、前記第１期間の時間長及び前記第２期間の時間長より短かく、前記第２の特定期間の時間長は、前記第１期間の時間長及び前記第２期間の時間長より短かいことを特徴とする。
【００１５】
この態様によれば、第１期間又は第２期間のおいては、画素をオン又はオフに制御するデータ信号がデータ線に供給される一方、第１の特定期間及び第２の特定期間においては画素をオフに制御するデータ信号がデータ線に供給される。すなわち、第１期間又は第２期間でデータ信号が画素に書き込まれる結果、当該画素は、次にデータ信号が書き込まれるまでの期間、最大階調又は最小階調に制御される。ここで、第１の特定期間及び第２の特定期間の時間長は、第１期間の時間長及び第２期間の時間長よりも短い。データ線には寄生容量が付随するため、データ線は容量性の負荷であるといえる。このため、一の水平選択期間における一回の特定期間においてデータ信号を画素に書き込んでも、必ずしも当該画素の階調は最小階調とならない。しかしながら、第１期間及び第２期間におけるデータ信号の書き込みは、表示すべき階調に応じたものである一方、特定期間におけるデータ信号の書き込みは、画素の階調を最小階調に制御するためのものであるから画像の品質に与える影響は少ない。また、第１の特定期間において画素をオフするのに十分なデータ信号を書き込むことができなくても、第２の特定期間において画素をオフするデータ信号を書き込むので、当該画素の階調を最小階調に近づけることができる。
【００１６】
上述した本発明に係る電気光学装置の一態様において、前記一の水平選択期間とは異なる他の水平選択期間に属する前記特定期間において、前記走査線駆動回路は前記第３の走査線を選択し、前記第３の走査線に対応するｎ列目の画素をオフに制御するデータ信号をｎ列目のデータ線に供給することが好ましい。
【００１７】
この態様によれば、他の水平選択期間の第１の特定期間及び第２の特定期間においても、画素をオフに制御するデータ信号を書き込むので、当該画素の階調を最小階調により近づけることができる。これにより、第１の特定期間及び第２の特定期間の時間長を短くすることができ、その分、第１期間及び第２期間の時間長を長くできる。
【００１８】
上述した本発明に係る電気光学装置の一態様において、複数のサブフィールド期間と複数のイレース期間とを含み１画面を表示するためのフレーム期間において、前記サブフィールド期間毎に前記画素をオン又はオフに制御し、前記イレース期間において前記画素をオフに制御することにより、前記フレーム期間で前記画素が表示すべき階調を制御し、前記走査線駆動回路は、前記サブフィールド期間及び前記イレース期間の開始を指定するスタートパルスをクロック信号に同期して順次シフトして、水平選択期間毎に排他的にアクティブとなるＭ個のシフト信号を出力するシフトレジスタと、前記第１期間においてアクティブとなる第１イネーブルパルス、前記第２期間においてアクティブとなる第２イネーブルパルス、並びに前記第１の特定期間及び前記第２の特定期間においてアクティブとなるイレースパルスと、ｍ（ｍは１≦ｍ≦Ｍを満たす任意の自然数）番目のシフト信号とに基づいて、ｍ番目の走査線を選択するｍ番目の走査信号を生成する走査選択回路とを備える、ことがこのましい。
【００１９】
この態様によれば、サブフィールド駆動を行うことが可能となり、一の水平選択期間において、３本の走査線を選択することにより、第１の走査線に対応する画素では第１のサブフィールド期間を開始させ、第２の走査線に対応する画素では第２のサブフィールド期間を開始させ、第３の走査線に対応する画素ではイレース期間を開始させることができる。
【００２０】
次に、本発明に係る電子機器は、上述した本発明に係る電気光学装置を備えることを特徴とする。そのような電子機器としては、プロジェクター、テレビ、パーソナルコンピューターなどが該当する。
【図面の簡単な説明】
【００２１】
【図１】本発明の実施形態に係る電気光学装置のブロック図である。
【図２】画素回路の回路図である。
【図３】２Ｄ表示における画素の動作期間を説明するための説明図である。
【図４】３Ｄ表示における画素の動作期間を説明するための説明図である。
【図５】走査線駆動回路の構成を示すブロック図である。
【図６】２Ｄ表示における走査線駆動回路の動作を説明するためのタイミングチャートである。
【図７】３Ｄ表示における電気光学装置の動作を説明するためのタイミングチャートである。
【図８】３Ｄ表示における走査線駆動回路の動作を説明するためのタイミングチャートである。
【図９】図８の期間Ｔｘを拡大した電気光学装置の動作を説明するためのタイミングチャートである。
【図１０】本発明の変形例に係る３Ｄ表示における画素の動作期間を説明するための説明図である。
【図１１】電子機器（投射型表示装置）の斜視図である。
【図１２】電子機器（パーソナルコンピュータ）の斜視図である。
【発明を実施するための形態】
【００２２】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２３】
＜Ａ．実施形態＞
図１は、本発明の実施形態に係る電気光学装置１のブロック図である。電気光学装置１は、相互に視差が付与された右眼用画像及び左眼用画像を時分割で交互に表示することで、立体視画像を表示する３Ｄ表示と、２次元画像を表示する２Ｄ表示が可能である。また、本実施形態において、電気光学装置１は、サブフィールド駆動により、３Ｄ表示及び２Ｄ表示を行う。
【００２４】
電気光学装置１は、電気光学パネル１０、制御部５０、及び、立体視用眼鏡６０を備える。
電気光学パネル１０は、複数の画素Ｐｘが配列された表示部３０と、各画素Ｐｘを駆動する駆動回路２０と、を備える。この電気光学パネル１０には、右眼用画像と左眼用画像とが、時分割で交互に表示される。なお、以下では、駆動回路２０及び制御部５０を制御駆動部１００と総称する場合がある。
【００２５】
図１に示すように、表示部３０には、ｘ方向に延在するＭ本の走査線３２と、ｘ方向に交差するｙ方向に延在するＮ本のデータ線３４とが形成されている（Ｍ及びＮは自然数）。複数の画素Ｐｘは、表示部３０において、走査線３２とデータ線３４との各交差に対応して縦Ｍ行×横Ｎ列の行列状に配列される。なお、本実施形態において、画素Ｐｘは、Ｍ本の走査線３２及びＮ本のデータ線３４によるＭ×Ｎ個の交差の全てに配置されるが、これらＭ×Ｎ個の交差のうち一部に配置されるものであっても構わない。
【００２６】
駆動回路２０は、各画素Ｐｘの表示する階調を指定するデータ信号ＶＤ[n]（ｎ＝１〜Ｎ）を、各画素Ｐｘに対応して設けられる画素回路４０に対して供給する回路であり、走査線駆動回路２２とデータ線駆動回路２４とを具備する。
走査線駆動回路２２は、各走査線３２に対応する走査信号Ｙ[１]〜Ｙ[Ｍ]を各走査線３２に対して供給することで各走査線３２を順次に選択する。具体的には、走査信号Ｙ[ｍ]（ｍ＝１〜Ｍ）が所定の選択電位に設定される（すなわち第ｍ行の走査線３２が選択される）ことで第ｍ行の走査線３２が選択される。
データ線駆動回路２４は、走査線駆動回路２２による走査線３２の選択に同期してＮ本のデータ線３４の各々にデータ信号ＶＤ[１]〜ＶＤ[n]を供給する。データ信号ＶＤ[n]（ｎ＝１〜Ｎ）は、後述する入力画像データＤinが各画素Ｐｘに対して指定する階調に応じて可変に設定される。
【００２７】
図２は、各画素Ｐｘに対応して設けられる画素回路４０の回路図である。図２に示すように、各画素回路４０は、液晶素子ＣＬ、選択スイッチＳｗ、及び、容量Ｃｏを含む。
液晶素子ＣＬは、画素電極４１、共通電極４２、並びに、画素電極４１及び共通電極４２の間に設けられた液晶４３を具備する電気光学素子である。画素電極４１と共通電極４２との間の印加電圧に応じて液晶４３の透過率（表示階調）が変化する。共通電極４２は、一定の電位Ｖcomに設定されている。容量Ｃｏは、一端が画素電極４１に電気的に接続され、他端が一定の電圧に保たれた容量線３６に電気的に接続される。また、共通電極４２も、容量線３６に電気的に接続される。
【００２８】
選択スイッチＳｗは、例えば、Ｎチャネル型のトランジスターであり、画素電極４１とデータ線３４との間に設けられ、両者の電気的な接続（導通／絶縁）を制御する。具体的には、Ｎチャネル型のトランジスターである選択スイッチＳｗのゲートは走査線３２と電気的に接続され、走査信号Ｙ[ｍ]が選択電位に設定されると、第ｍ行の画素回路４０に設けられた選択スイッチＳｗがオン状態となる。そして、選択スイッチＳｗがオン状態となると、当該画素回路４０に、データ線３４からデータ信号ＶＤ[n]が供給され、液晶素子ＣＬには当該データ信号ＶＤ[n]に応じた電圧が印加される。これにより、当該画素回路４０の液晶素子ＣＬは、データ信号ＶＤ[n]に応じた透過率に設定され、当該画素回路４０に対応する画素Ｐｘは、データ信号ＶＤ[n]に応じた階調を表示する。
画素回路４０の液晶素子ＣＬにデータ信号ＶＤ[n]に応じた電圧が印加された後、選択スイッチＳｗがオフ状態となると、データ信号ＶＤ[n]は容量Ｃｏにより保持される。そのため、各画素Ｐｘは、選択スイッチＳｗがオン状態となった後から、次にオン状態となるまでの期間において、データ信号ＶＤ[n]に応じた階調を表示する。
【００２９】
説明を図１に戻す。図１に示すように、制御部５０は、表示制御回路５１、眼鏡制御回路５２、及び、ＬＵＴ（Look Up Table）５３を備える。
表示制御回路５１には、図示省略した上位装置から、入力画像データＤinが、同期信号に同期して供給される。
ここで、入力画像データＤinとは、各画素Ｐｘで表示すべき階調を指定するデータである。本実施形態では、入力画像データＤinは、各画素Ｐｘで表示すべき階調を「０」から「２５５」までの２５６段階（つまり、８ビット）で規定するデジタルデータである。
また、同期信号とは、例えば、垂直同期信号Ｖsnc、水平同期信号、及び、ドットクロック信号等を含む信号である。
【００３０】
表示制御回路５１は、上位装置から供給される同期信号に基づいて、電気光学パネル１０の動作を制御するための信号である制御信号Ｃtrを生成し、生成した制御信号Ｃtrを駆動回路２０に供給する。ここで、制御信号Ｃtrとは、例えば、垂直同期信号Ｖsnc、Ｙ入力パルス信号Ｄyin、Ｙクロック信号Ｃly、イネーブル信号ＥＢ１〜ＥＢ１０、及び、ドットクロック信号等を含む信号である。これら各種信号についての詳細は後述する。
ＬＵＴ５３は、入力画像データＤinが各画素Ｐｘに対して指定する階調と、サブフィールドコード（ＳＦコード）Ｃｄと、を対応付けて記憶する。階調とＳＦコードＣｄとの対応付けは、３Ｄ表示と２Ｄ表示とで相違する。
表示制御回路５１は、入力画像データＤinに対応するＳＦコードＣｄをＬＵＴ５３から取得し、取得したＳＦコードＣｄに基づいて画像データＤｘを生成したうえで、生成した画像データＤｘをデータ線駆動回路２４に対して供給する。本実施形態では、画像データＤｘは、デジタルの信号であるが、アナログの信号であってもよい。
【００３１】
眼鏡制御回路５２は、表示制御回路５１が生成した制御信号Ｃtrに基づいて、立体視用眼鏡６０の動作を制御するための信号である眼鏡制御信号を生成し、これを立体視用眼鏡６０に対して供給する。
立体視用眼鏡６０は、電気光学パネル１０が表示する立体視画像の視認時に観察者が装着する眼鏡型の器具であり、観察者の左眼の前方に位置する左眼用シャッター６２と右眼の前方に位置する右眼用シャッター６４とを具備する。左眼用シャッター６２および右眼用シャッター６４の各々は、眼鏡制御回路５２から供給される眼鏡制御信号に基づいて、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが左眼用シャッター６２および右眼用シャッター６４として採用され得る。
【００３２】
図３は、電気光学装置１が備える各画素Ｐｘ（画素回路４０）の２Ｄ表示における動作期間を説明するための説明図であり、図４は、電気光学装置１が備える各画素Ｐｘの３Ｄ表示における動作期間を説明するための説明図である。
図３及び図４に示すように、各画素Ｐｘの動作期間はフレーム期間Ｆによって規定される。フレーム期間Ｆとは、画素Ｐｘ毎に定められる期間であり、１画面の表示に要する期間である。より具体的には、図３に示す２Ｄ表示の場合におけるフレーム期間Ｆは、各画素Ｐｘが2次元の画像に対応する階調を表示するために必要な期間であり、図４に示す３Ｄ表示の場合におけるフレーム期間Ｆは、電気光学装置１が一の左眼用画像と一の右眼用画像とからなる一の立体視画像を表示する場合に、各画素Ｐｘが当該一の立体視画像に対応する階調（つまり、一の左眼用画像に対応する階調、及び、一の右眼用画像に対応する階調）を表示するために必要な期間である。例えば、電気光学装置１が、１秒間に６０個の立体視画像を表示する場合、フレーム期間Ｆは約１６．６７ミリ秒となる。
【００３３】
図３に示すように、２Ｄ表示のフレーム期間Ｆは、第１制御期間Ｃ１と、第２制御期間Ｃ２とに区分される。第１制御期間Ｃ１は、第1ブロック期間Ｂ１と第２ブロック期間Ｂ２とからなる期間であり、正極性のデータ信号ＶＤ[n]が画素Ｐｘに書き込まれる。第２制御期間Ｃ２は、第３ブロック期間Ｂ３と第４ブロック期間Ｂ４とからなる期間であり、負極性のデータ信号ＶＤ[n]が画素Ｐｘに書き込まれる。ここで、データ信号ＶＤ[n]の極性とは、共通電極４２の電位Ｖcomを基準として高電位のデータ信号ＶＤ[n]を正極性といい、低電位のデータ信号ＶＤ[n]を負極性という。なお、第１乃至第４ブロック期間Ｂ１乃至Ｂ４を「ブロック期間Ｂ」と総称する場合がある。
【００３４】
２Ｄ表示のブロック期間Ｂは、１０個のサブフィールド期間Ｓf1〜Ｓf10を備える。この例では、各サブフィールド期間Ｓf1〜Ｓf10の時間長が異なる。サブフィールド期間Ｓf1〜Ｓf10においては、画素Ｐｘをオン又はオフに制御するデータ信号ＶＤ[n]が画素Ｐｘに書き込まれる。従って、サブフィールド期間Ｓf1〜Ｓf10の時間長が異ならせることによって、重み付けがなされている。なお、図３には、第1ブロック期間Ｂ１及び第２ブロック期間Ｂ２のサブフィールド期間Ｓf1〜Ｓf10が示されているが、第３ブロック期間Ｂ３及び第４ブロック期間Ｂ４についても同様である。
【００３５】
図４に示すように、３Ｄ表示のフレーム期間Ｆは、左眼用画像の表示期間Ｔ１（以下、単に「表示期間Ｔ１」と称する）、及び右眼用画像の表示期間Ｔ２（以下、単に「表示期間Ｔ２」と称する）に区分される。また、この例において、表示期間Ｔ１及びＴ２の各々は、第１ブロック期間Ｂ１、第２ブロック期間Ｂ２、第３ブロック期間Ｂ３、及び第４ブロック期間Ｂ４からなる。なお、以下では、表示期間Ｔ１及び表示期間Ｔ２を「表示期間Ｔ」と総称する場合がある。
【００３６】
３Ｄ表示におけるブロック期間Ｂは、６個の単位期間からなり、５個のサブフィールド期間Ｓf1〜Ｓf5とイレース期間Ｅとを備える。この例では、サブフィールド期間Ｓf1及びＳf2の時間長はＴａであり、サブフィールド期間Ｓf3及びＳf4の時間長はＴｂであり、サブフィールド期間Ｓf5の時間長はＴｃであり、Ｔａ＜Ｔｂ＜Ｔｃの関係がある。サブフィールド期間Ｓf1〜Ｓf5においては、画素Ｐｘをオン又はオフに制御するデータ信号ＶＤ[n]が画素Ｐｘに書き込まれ、イレース期間Ｅにおいては画素Ｐｘにオフに制御するデータ信号ＶＤ[n]が書き込まれる。
【００３７】
また、表示期間Ｔは、第１制御期間Ｃ１と、第２制御期間Ｃ２とに区分される。第１制御期間Ｃ１は、第1ブロック期間Ｂ１と第２ブロック期間Ｂ２とからなる期間であり、正極性のデータ信号ＶＤ[n]が画素Ｐｘに書き込まれる。第２制御期間Ｃ２は、第３ブロック期間Ｂ３と第４ブロック期間Ｂ４とからなる期間であり、負極性のデータ信号ＶＤ[n]が画素Ｐｘに書き込まれる。
【００３８】
３Ｄ表示における正極性のデータ信号ＶＤ[n]の書き込みを行う第１制御期間Ｃ１では、第1ブロック期間Ｂ１及び第２ブロック期間Ｂ２において、Ｓf1→Ｓf2→Ｓf3→Ｓf4→Ｓf5→Ｅの順で各単位期間にサブフィールド期間Ｓf1〜Ｓf5及びイレース期間Ｅが割り当てられる。
一方、３Ｄ表示における負極性のデータ信号ＶＤ[n]の書き込みを行う第２制御期間Ｃ２では、第３ブロック期間Ｂ３及び第４ブロック期間Ｂ４において、Ｓf5→Ｓf4→Ｓf3→Ｓf2→Ｓf1→Ｅの順で各単位期間にサブフィールド期間Ｓf1〜Ｓf5及びイレース期間Ｅが割り当てられる。
【００３９】
すなわち、第1ブロック期間Ｂ１及び第２ブロック期間Ｂ２と、第３ブロック期間Ｂ３及び第４ブロック期間Ｂ４とでは、サブフィールド期間の順番が相違する。このように正極性と負極性とでサブフィールド期間の配置を変更することにより、サブフィールド期間の組み合わせのバリエーションが増加し、ＳＦコードＣｄの数を増加させることが可能となる。
また、ブロック期間Ｂの最後の単位期間に割り当てられるイレース期間Ｅでは、画素Ｐｘに黒を表示させる制御が実行される。電気光学パネル１０のガンマ特性を考慮すると、低階調側での階調性を向上させることが重要である。イレース期間Ｅを設けることで、表示階調を低階調側にシフトさせることができるので、表示品質を向上させることが可能となる。
【００４０】
データ線駆動回路２４は、２Ｄ表示では、各画素Ｐｘに対して、１フレーム期間Ｆ当たり４０個の単位期間（サブフィールド期間Ｓf1〜Ｓf10）の各々が開始されるタイミングにおいて、データ信号ＶＤ[n]を供給し、３Ｄ表示では、各画素Ｐｘに対して、各表示期間Ｔに含まれる２４個の単位期間（サブフィールド期間Ｓf1〜Ｓf5及びイレース期間Ｅ）の各々が開始されるタイミングにおいて、データ信号ＶＤ[n]を供給する。
本実施形態における、データ信号ＶＤ[n]は、画素Ｐｘのオンまたはオフを指定する信号である。具体的には、データ信号ＶＤ[n]は、画素Ｐｘにオンを指定する場合には、当該画素Ｐｘが最大階調を表示するような電位（つまり、当該画素Ｐｘが備える液晶素子ＣＬの透過率が最大値となるような電位）に設定される。また、データ信号ＶＤ[n]は、画素Ｐｘにオフを指定する場合には、当該画素Ｐｘが最小階調を表示するような電位（つまり、当該画素Ｐｘが備える液晶素子ＣＬの透過率が最小値となるような電位）に設定される。
【００４１】
データ線駆動回路２４は、各画素Ｐｘに対して供給するデータ信号ＶＤ[n]を、表示制御回路５１から供給される画像データＤｘに基づいて生成する。上述のとおり、表示制御回路５１は、入力画像データＤinに対応するＳＦコードＣｄをＬＵＴ５３から取得し、取得したＳＦコードＣｄに基づいて画像データＤｘを生成する。なお、ＬＵＴ５３は、２Ｄ表示用の２Ｄテーブル５３ａと３Ｄ表示用の３Ｄテーブル５３ｂとを備える。
【００４２】
ＬＵＴ５３は、入力画像データＤinが各画素Ｐｘに対して指定可能な２５６種類の階調「０」〜「２５５」と、これら２５６種類の階調と１対１に対応する２５６個のＳＦコードＣｄ（Ｃｄ［０］〜Ｃｄ［２５５］）とを対応付けて、２Ｄ表示と３Ｄ表示とで各々記憶する。
２Ｄテーブル５３ａに格納される各ＳＦコードＣｄは、第１制御期間Ｃ１及び第２制御期間Ｃ２に各々含まれる２０個のサブフィールド期間Ｓのそれぞれについて、画素Ｐｘをオンさせることを指定する値「１」または画素Ｐｘをオフさせることを指定する値「０」のいずれかの値が設定された、２０ビットのデータである。一方、３Ｄテーブル５３ａに格納される各ＳＦコードＣｄは、表示期間Ｔに含まれる２０個のサブフィールド期間Ｓのそれぞれについて、画素Ｐｘをオンさせることを指定する値「１」または画素Ｐｘをオフさせることを指定する値「０」のいずれかの値が設定された、２０ビットのデータである。
ＳＦコードＣｄは、原則として、表示期間Ｔにおいて画素Ｐｘが表示すべき階調のレベルが高くなるに従って、当該表示期間Ｔにおいて画素Ｐｘがオンする時間長が長くなるように、各サブフィールド期間Ｓにおける画素Ｐｘのオンまたはオフを指定する内容となる。
【００４３】
表示制御回路５１は、ＬＵＴ５３を参照し、入力画像データＤinに対応するＳＦコードＣｄを取得する。これにより、表示制御回路５１は、表示期間Ｔにおいて画素Ｐｘに入力画像データＤinが指定する階調を表示させる場合に、当該表示期間Ｔに含まれる２０個のサブフィールド期間Ｓのそれぞれにおいて、画素Ｐｘに対してオンまたはオフのいずれの状態を指定すべきかを、ＳＦコードＣｄに基づいて決定することができる。
そして、表示制御回路５１は、ＳＦコードＣｄが、各サブフィールド期間Ｓについて、画素Ｐｘをオンさせることを指定する値「１」を示す場合には、画素Ｐｘに最大階調を指定するデータ信号ＶＤ[n]に対応する画像データＤｘを生成し、画素Ｐｘをオフさせることを指定する値「０」を示す場合には、画素Ｐｘに最小階調を指定するデータ信号ＶＤ[n]に対応する画像データＤｘを生成する。
【００４４】
本実施形態では、画素Ｐｘは液晶素子ＣＬを備え、液晶素子ＣＬの透過率を制御することにより、画素Ｐｘの表示する階調を制御する。
【００４５】
図５に走査線駆動回路２２のブロック図を示す。この図に示すように走査線駆動回路２２は、シフトレジスタ２２１と、走査線選択回路２２２とを備える。シフトレジスタ２２１は、Ｙ入力パルス信号ＤyinをＹクロック信号Ｃlyに従って順次シフトして、水平選択期間毎に排他的にアクティブとなるシフト信号ＳＲ[1]〜ＳＲ[M]を生成する。
【００４６】
走査線選択回路２２２は複数の選択ユニットＵを備える。第１番目の選択ユニットＵは、２０個のナンド回路２３０と２０個のインバータ２４０とを備える。各ナンド回路２３０の一方の入力端子には、シフト信号ＳＲ[1]〜ＳＲ[20]のうちいずれか一つが供給され、他方の入力端子には、イネーブル信号ＥＢ１〜ＥＢ１０のうちいずれか一つが供給される。ナンド回路２３０の出力信号は、インバータ２４０で反転され、走査信号として走査線３２に出力される。
図６に２Ｄ表示における走査線駆動回路２２のタイミングチャートを示す。この図に示すようにイネーブル信号ＥＢ１〜ＥＢ１０は、Ｙクロック信号Ｃlyの半周期を１０分割した１０個のタイミングで各々アクティブとなるイネーブルパルスＥＰ１〜ＥＰ１０を有する。１０個のタイミングは、図６に示す１クロック内のアドレスの定義で与えられる。
【００４７】
図７（Ａ）は、３Ｄ表示における画素Ｐｘの動作期間と、電気光学装置１の動作期間との関係を説明するためのタイミングチャートである。この図に示すように第１行から第Ｍ行の走査線３２は、水平選択期間毎に順次選択される。３Ｄ表示では、一つのブロック期間Ｂに５個のサブフィールド期間Ｓf1〜Ｓf5と１個のイレース期間Ｅが含まれている。このため、ある水平選択期間において、６本の走査線３２を排他的に選択する必要がある。
【００４８】
これは、ある水平選択期間において、６個の走査信号Ｙを排他的にアクティブにすることを意味する。３Ｄ表示においては、２Ｄ表示と比較して水平選択期間の時間長が短くなるので、データ信号ＶＤ[n]を画素Ｐｘに書き込む時間を確保するためには、ある水平選択期間で排他的にアクティブとする走査信号Ｙの数を制限する必要がある。
【００４９】
ブロック期間Ｂ４においてイレース期間Ｅが長いのは、水平選択期間で排他的にアクティブとする走査信号Ｙの数を制限するためである。上述したようにサブフィールド期間の数を制限しつつＳＦコードＣｄの数を確保するため、本実施形態では、第１制御期間Ｃ１と第２制御期間Ｃ２とで、サブフィールド期間の順番を変更している。このため、ブロック期間Ｂ４のイレース期間Ｅをブロック期間Ｂ１〜Ｂ３のイレース期間Ｅよりも長くする必要がある。
【００５０】
仮に、全てのブロック期間Ｂ１〜Ｂ４のイレース期間Ｅの時間長が等しいとすると、第１行~第Ｍ行におけるサブフィールド期間Ｓf1〜Ｓf5とイレース期間Ｅとの遷移は、図７（Ｂ）に示すものとなる。この場合、例えば、時刻Ｔｃにおいて、ブロック期間Ｂ４のサブフィールド期間Ｓf1及びＳf2、並びにイレース期間Ｅを開始するために３本の走査線３２を選択し、さらに、ブロック期間Ｂ１のサブフィールド期間Ｓf1〜Ｓf4を開始するために４本の走査線３２を選択する必要がある。
そこで、本実施形態では図７（Ａ）に示すようにブロック期間Ｂ４のイレース期間Ｅを長くしたのである。なお、図７（Ａ）に示す期間Ｔｗでは、走査線３２の選択を行わない。
【００５１】
図８は、３Ｄ表示におけるイネーブル信号ＥＢ１〜ＥＢ１０とＹクロック信号Ｃｌｙとの関係を示すタイミングチャートである。２Ｄ表示においては、１０個のイネーブルパルスＥＰ１〜ＥＰ１０を用いてイネーブル信号ＥＢ１〜ＥＢ１０を生成したが、３Ｄ表示では、５個のイネーブルパルスＥＰ１〜ＥＰ５とイレースパルスＥＬＰを用いてイネーブル信号ＥＢ１〜ＥＢ１０を生成する。イネーブルパルスＥＰ１〜ＥＰ５とイレースパルスＥＬＰとは排他的にアクティブとなり、イレースパルスＥＬＰは、イネーブルパルスＥＰ１及びＥＰ２の間、イネーブルパルスＥＰ２及びＥＰ３の間、イネーブルパルスＥＰ３及びＥＰ４の間、イネーブルパルスＥＰ４及びＥＰ５の間、イネーブルパルスＥＰ５及びＥＰ１の間で、アクティブとなる。
【００５２】
図９に図８の期間Ｔｘを拡大したタイミングチャートを示す。第１行第ｎ列の画素Ｐｘには、イネーブル信号ＥＮＢ１がハイレベルとなりアクティブになる期間において、データ信号ＶＤ[n]が書き込まれる。このため、所定行の第ｎ列の画素Ｐｘで保持される電位Ｖ[n]は、イネーブルパルスＥＰ１がアクティブとなる期間Ｔａ及びＴｂにおいてデータ信号ＶＤ[n]が第１行第ｎ列の画素Ｐｘに書き込まれる。この結果、図９に示す例では、所定行の第ｎ列の画素Ｐｘで保持される電位Ｖ[n]は、電位Ｖmaxとなる。その後、イレースパルスＥＬＰがアクティブになると、電位Ｖminが第１行第ｎ列の画素Ｐｘに書き込まれるが、イレースパルスＥＬＰがアクティブとなる期間は、イネーブルパルスＥＰ１〜ＥＰ５より短いので、１回の書き込みでは電位Ｖ[n]は電位Ｖminとはならず、複数回の書き込みで電位Ｖminとなる。なお、この例では、４個のイレースパルスＥＬＰによって電位Ｖ[n]が電位Ｖminに収束しているが、１０個のイレースパルスＥＬＰを用いた書き込みによって、電位Ｖ[n]が電位Ｖminに収束すればよい。
【００５３】
これによって、黒を表示するイレース期間ＥにイネーブルパルスＥＰ１〜ＥＰ５を割り当てる必要がなくなり、イネーブルパルスＥＰ１〜ＥＰ５のパルス幅を大きくすることが可能となる。この結果、走査線３２の走査速度を低下させることなく、イレース期間Ｅを導入でき、階調性を大幅に向上させることが可能となる。
【００５４】
また、例えば、図７に示すように、ブロック期間Ｂ２の最初の水平選択期間において、第１行目の走査線３２と、第ｈ１行目の走査線３２と、第ｈ２行目の走査線３２とが、選択されるとする。この場合、図９に示す最初の水平選択期間Ｔｙ（一の水平選択期間）では、イネーブルパルスＥＰ１がアクティブとなる期間Ｔａ１（第１期間）において、第１行目の走査線３２（第１の走査線）を選択する走査信号Ｙ[1]がアクティブとなる。このため、期間Ｔａ１において、ｎ列目のデータ線３４に画素４０をオン又はオフに制御するデータ信号ＶＤ[n]が供給される。
【００５５】
また、水平選択期間Ｔｙにおいて、イネーブルパルスＥＰ２がアクティブとなる期間Ｔａ２（第２期間）では、第ｈ２行目の走査線３２（第２の走査線）を選択する走査信号Ｙ[h2]がアクティブとなり、期間Ｔａ１において、ｎ列目のデータ線３４に画素４０をオン又はオフに制御するデータ信号ＶＤ[n]が供給される。
【００５６】
さらに、水平選択期間Ｔｙにおいて、イレースパルスＥＬＰがアクティブとなる期間Ｔｅ１（第１の特定期間）、Ｔｅ２（第２の特定期間）、Ｔｅ３、Ｔｅ４、及びＴｅ５では、第ｈ１行目の走査線３２（第３の走査線）を選択する走査信号Ｙ[h1]がアクティブとなり、期間Ｔｅ１〜Ｔｅ５において、ｎ列目のデータ線３４に画素４０をオフに制御するデータ信号ＶＤ[n]が供給される。
【００５７】
これにより、水平選択期間Ｔｙにおいて、第１行目の走査線３２（第１の走査線）に対応する画素４０において、あるサブフィールド期間（第１のサブフィールド期間）が開始され、第ｈ２行目の走査線３２に対応する画素４０（第２の走査線）において他のサブフィールド期間（第２のサブフィールド期間）が開始され、第ｈ１行目の走査線３２に対応する画素４０（第３の走査線）においてイレース期間が開始される。
【００５８】
くわえて、水平選択期間Ｔｙとは異なる他の水平選択期間Ｔｚにおいて、イレースパルスＥＬＰがアクティブとなる期間Ｔｅ１〜Ｔｅ５では、第ｈ１行目の走査線３２を選択する走査信号Ｙ[h1]がアクティブとなり、期間Ｔｅ１〜Ｔｅ５において、ｎ列目のデータ線３４に画素４０をオフに制御するデータ信号ＶＤ[n]が供給される。
ここで、期間Ｔｅ１〜Ｔｅ５の時間長は、期間Ｔａ１の時間長より短く、期間Ｔａ２の時間長よりも短い。また、第ｈ１行目の走査線３２には、複数の水平選択期間Ｔｙ及びＴｚに亘って、１０個のイレースパルスＥＬＰに同期して走査信号Ｙ[h2]がアクティブとなる。ここで、１０個のイレースパルスＥＬＰのパルス幅の合計の時間長は、１つのイネーブルパルスのパルス幅の時間長よりも長くすることができる。一方、一つの水平選択期間Ｔｙに属する５個のイレースパルスＥＬＰのパルス幅の時間長の合計は、１つのイネーブルパルスのパルス幅の時間長よりも短くすることができる。このため、イネーブルパルスＥＰ１〜ＥＰ５のパルス幅を長くすることができ、画素４０をオン又はオフに制御するデータ信号ＶＤ[n]を確実に画素４０に書き込むことが可能となる。
【００５９】
このように本実施形態においては、３Ｄ表示において、サブフィード期間Ｓf1〜Ｓf5の他にイレース期間Ｅを導入することにより、ある水平選択期間において選択する走査線３２の本数を制限しつつ、一のブロック期間Ｂにおけるサブフィールド期間Ｓf1〜Ｓf5の順番と他のブロック期間におけるサブフィールド期間Ｓf1〜Ｓf5の順番を変更することを可能とした。この結果、画素４０をオン又はオフに制御するサブフィールド期間Ｓf1〜Ｓf5の組み合わせのバリエーションを増加させて、階調性を向上させることができる。さらに、イネーブルパルスＥＰ１〜ＥＰ５が非アクティブとなる期間の一部又は全部においてアクティブとなるイレースパルスＥＬＰを用いて、画素４０をオフに制御するデータ信号ＶＤ[n]を画素４０に書き込んだので、イネーブルパルスＥＰ１〜ＥＰ５のパルス幅を大きくすることが可能となる。
【００６０】
＜Ｂ．変形例＞
以上の各形態は多様に変形され得る。具体的な変形の態様を以下に例示する。以下の例示から任意に選択された２以上の態様は、相互に矛盾しない範囲内で適宜に併合され得る。
【００６１】
（１）変形例１
上述した実施形態では３Ｄ表示の場合に、イレース期間Ｅを設けたが、本発明はこれに限定されるものではなく、２Ｄ表示において、上述した実施形態と同様にイレース期間Ｅを設けてもよい。この場合は、フレーム期間Ｆが短くなっても階調性をさほど低下させずに、画像を表示することが可能となる。例えば、スポーツなどのコンテンツを表示する場合には、フレーム期間Ｆを短くすることによって、残像の少ない画像を表示することが可能となる。
【００６２】
（２）変形例２
上述した実施形態では３Ｄ表示の場合に、走査線を選択しない期間Ｔｗを設けたが、当該期間を左眼用シャッターと右眼用シャッターとが同時に閉となるリセット期間Ｒとしてもよい。図１０に変形例２に係る画素Ｐｘの動作期間を説明する説明図を示す。この例では、表示期間Ｔ１と表示期間Ｔ２との間にリセット期間Ｒが設けられている。表示期間Ｔ１に表示される画像と表示期間Ｔ２に表示される画像は相違するので、リセット期間Ｒを設けることによって、左眼用の画像と右眼用の画像とのクロストークを防止し、３Ｄ表示の表示品質を向上させることができる。
【００６３】
（３）変形例３
上述した実施形態及び変形例において、画素Ｐｘに対応して設けられる画素回路４０は、電気光学素子の一例たる液晶素子ＣＬを具備するが、有機発光ダイオード等の発光素子を具備するものであってもよい。
【００６４】
＜Ｃ．応用例＞
以上の各形態に例示した電気光学装置１は、各種の電子機器に利用され得る。図１１及び図１２には、電気光学装置１を採用した電子機器の具体的な形態が例示されている。
【００６５】
図１１は、電気光学装置１を適用した投射型表示装置（３板式のプロジェクター）４０００の模式図である。投射型表示装置４０００は、相異なる表示色（赤色，緑色，青色）に対応する３個の電気光学装置１（１R，１G，１B）を含んで構成される。照明光学系４００１は、照明装置（光源）４００２からの出射光のうち赤色成分ｒを電気光学装置１Rに供給し、緑色成分ｇを電気光学装置１Gに供給し、青色成分ｂを電気光学装置１Bに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。観察者は、投射面４００４に投射された画像を視認する。
【００６６】
図１２は、電気光学装置１を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００６７】
なお、本発明に係る電気光学装置が適用される電子機器としては、図１１及び図１２に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６８】
１……電気光学装置、１０……電気光学パネル、２０……駆動回路、２２……走査線駆動回路、２４……データ線駆動回路、３０……表示部、３２……走査線、３４……データ線、４０……画素回路、５０……制御部、５１……表示制御回路、５２……眼鏡制御回路、５３……ＬＵＴ、６０……立体視用眼鏡、６２……左眼用シャッター、６４……右眼用シャッター、１００……制御駆動部、２２１……シフトレジスタ、２２２……走査線選択回路、Ｐｘ……画素、ＣＬ……液晶素子。
【図１】
0006340931.tif 000002
【図２】
0006340931.tif 000003
【図３】
0006340931.tif 000004
【図４】
0006340931.tif 000005
【図５】
0006340931.tif 000006
【図６】
0006340931.tif 000007
【図７】
0006340931.tif 000008
【図８】
0006340931.tif 000009
【図９】
0006340931.tif 000010
【図１０】
0006340931.tif 000011
【図１１】
0006340931.tif 000012
【図１２】
0006340931.tif 000013